(57)【要約】      （修正有）【課題】要介護者の排便処理を簡易にする排便処理装具を提供する。【解決手段】要介護者に装着することによって排便を処理するための装具であって、凹状の切込部を設けた粘着剤層を有する複数のシート状部材で構成し該切込部により肛門が露出する開口部を形成する第１部材２と、該第１部材に貼着するもので便収容袋を備え粘着剤層を有する第２部材４より構成する。【選択図】図１
2006314758.tif 000002
【特許請求の範囲】
【請求項１】
要介護者に装着することによって排便を処理するための装具であって、凹状の切込部を設けた粘着剤層を有する複数のシート状部材で構成し該切込部により肛門が露出する開口部を形成する第１部材と、該第１部材に貼着するもので便収容袋を備え粘着剤層を有する第２部材より構成したことを特徴とする排泄物処理装具。
【請求項２】
第２部材と便収容袋は別体であり、該第２部材は便収容袋取付用の剥離シートを設けた請求項１記載の排泄物処理装具。
【発明の詳細な説明】
【技術分野】
【０００１】
本発明は、要介護者の排便処理を簡易にする装具の改良に関するものである。
【背景技術】
【０００２】
老人や身体障害者等が生活する上で、最も身近な問題が排泄行為であり、しかも一日に何回となく繰り返される。特に、排便の処理は臭い、量、拭き取りなどの問題から介護者にとって大きな負担であり、ティッシュペーパーなどの消耗品も多く、衛生面でも影響が生じる。このことは、介護される側にとっても精神的な苦痛を伴う問題となっていた。
【０００３】
このため、例えば特許文献１に示すような排便を簡単に処理できる介護用品が種々出願されている。これらは、使い捨ておむつと併用し、袋体を肛門部分に貼着することによって排便を直接導入させるもので、排便がおむつ内で拡がるのを防止して簡単に処理できることを目的としている。
【特許文献１】特開２０００−１１６６８９
【発明の開示】
【発明が解決しようとする課題】
【０００４】
しかしながら、袋体を設けたパッド等を要介護者の肛門周辺に直接貼着して使用する上記介護用品の構造では、どうしても排便が多量に肛門周辺に付着することが避けられず、拭き取りや臭いの問題が解消されないことは明らかである。しかも、このような介護用品は、排便の漏れが少しでも生じると使用する意味が無くなってしまうものの、袋体を設けたパッド等を体に確実に密着させることについてはほとんど考慮されていない。
【０００５】
このように従来の介護用品は、開口部を小さくすると排便を袋体に導入しにくくなることや、開口部を肛門周辺にうまく装着するのが困難になることから、袋体を設けたパッド等の開口部が必然的に大きくならざるを得ないためと考えられる。また、基本的にパッド等には袋体が設けられているため、その開口部を肛門周辺に貼着しにくいという構造上の問題もある。しかも、パッド等のほぼ中央に穿設した孔を開口部としているため、該開口部周縁部を複雑な凹凸形状の人体の肛門周りに隙間なく貼り付けるのが難しく、漏れや排便の付着面積が大きくなってしまうことになる。
【課題を解決するための手段】
【０００６】
そこで本発明者は上記問題に鑑み鋭意研究の結果、本発明を成し得たものであり、その特徴とするところは、要介護者に装着することによって排便を処理するための装具であって、凹状の切込部を設けた粘着剤層を有する複数のシート状部材で構成し該切込部により肛門が露出する開口部を形成する第１部材と、該第１部材に貼着するもので便収容袋を備え粘着剤層を有する第２部材より構成したことにある。
【０００７】
ここで、本明細書中でいう「第１部材」とは、周辺の一部に凹状の切込部を設けた複数のシート状部材で構成したもので、各切込部によって要介護者の肛門を露出させる開口部を形成する部材をいう。シート状部材としては、不織布、ゴム、軟質プラスチックなど薄く可撓性のあるシート状のものであればよい。このシート状部材には粘着剤層を設け、要介護者の臀部に貼着する。
【０００８】
シート状部材の形状は特に限定するものではなく、複数のシート状部材を組み合わせて肛門の周辺を覆う大きさや形状であればよい。複数のシート状部材は、重ならないように並べて貼り付ける形状でもよく、一部重なるようにした形状でもよい。要は、各シート状部材に設けた凹状の切込部により肛門周辺に開口部を形成させるものであればよい。また、第１部材は第２部材を貼り付けることによって、これらの間で密閉状態を保持させることから、該第２部材が貼り付きやすくするため、外周部分を構成する周辺部分には粘着剤層を設けないようにしてもよい。
【０００９】
「第２部材」とは、便収容袋をその導入口が開いた状態に取り付けたもので、先に貼着した第１部材に貼り付ける部材をいう。この第２部材を第１部材に貼着することにより、便収容袋の導入口が第１部材によって形成した開口部に面するように支持固定される。第２部材の材質も第１部材と同程度のものでよい。形状は、便収容袋の導入口を開いた状態に支持すると共に、該導入口の周囲に粘着剤層により第１部材に貼り付ける部分が存在すればよく、特に限定するものではない。
【００１０】
第２部材と便収容袋は、別体にして使用するときにこれらを取り付ける構造としてもよい。この場合には、例えば第２部材に便収容袋取付用の剥離シートを設けておく。
【発明の効果】
【００１１】
本発明に係る排泄物処理装具は、肛門の周囲に開口部を形成する複数のシート状部材より成る第１部材と、便収容袋を設けた第２部材を分離した構造とすることにより、排便が肛門周辺に付着する部分を極力少なくすることができ、排便後の後始末を極めて簡単にすることができる。
【００１２】
特に、第１部材は複数のシート状部材によって肛門周辺に開口部を形成するため、介護者による装着を簡単確実にすることができる。また、第２部材は先に装着した第１部材に貼り付けるため、排便の漏れを確実に防止することが可能となる。これは、便収容袋を設けた第２部材が第１部材との間で封止状態を確保する構造であるため、体に隙間なく密着しなくても上記目的を達成できるからである。
【００１３】
このように、寝たきりなどの要介護者の排便処理をより簡単確実にしたことにより、介護者の労力をかなり軽減することができる。しかも処理時間が短くなることで介護者だけでなく要介護者の精神的苦痛も軽減できるなど極めて有益な効果を有するものである。
【発明を実施するための最良の形態】
【００１４】
便収容袋を備えた部材を、肛門周辺に開口部を形成するように装着した複数のシート状部材に貼着することにより、上述した課題を解決した。
【実施例１】
【００１５】
図１は本発明に係る排泄物処理装具１の一実施例を示すもので、先ず要介護者Ｐの肛門付近に複数のシート状部材より成る第１部材２を貼り付けておく。そして、便収容袋３を設けた第２部材４を、第１部材２と要介護者Ｐの体に貼り付けて完了する。
【００１６】
第１部材２は、図２（ａ）に示すように２枚にシート状部材で構成し、各々に肛門を露出させるための開口部２１を形成する切込部２２を設けている。第２部材４は、同図（ｂ）のようにほぼ中央部に貫通孔を穿設し、同図（ｃ）の便収容袋３の導入口を開いた状態に取り付ける構造としている。
【００１７】
本例に示す第１部材２と第２部材４は、片面に粘着剤層を設けた伸縮性不織布で形成しており、粘着剤層側には剥離紙５を設けている。剥離紙５は図中の実線で示すように分割して、貼り付けしやすくしている。本例の便収容袋３はポリプロピレン製で凸の字形状としている。周囲の二重線で示す箇所が封止部分で、上部の突出部分を第２部材４の貫通孔に通してから左右に開き、これのハッチング部を、第２部材４のハッチング部分の剥離紙５を取り除いて貼り付ける。便収容袋３は透明の場合、図の上端部の点線位置に色や模様などを付けておくことで第２部材４への貼り付け位置を分かりやすくすることができる。
【実施例２】
【００１８】
第１部材２は２枚のシート状部材を並べるようにして貼り付けるだけでなく、図３に示すように部分的に重なるように貼り付けるものでもよい。このようにすれば、開口部２１の大きさを任意に調整することができる。本例では、左右に貼り付ける２ピースとしているが、上下に貼り付ける形状にしてもよく、３ピースに分割した形状にしてもよい。
【００１９】
本発明に係る排泄物処理装具１は、使い捨ておむつと併用するもので、図４のように要介護者Ｐの肛門部分に貼着し、便収容袋３は臀部の下にならないように股の間に位置させる。排尿に際しては、そのほとんどが使い捨ておむつに吸収され、便収容袋３に尿が入ることはない。第２部材４は尿で濡れるが剥がれることもなく、便収容袋３に排便を導入させることができる。排便後の処理は、排泄物処理装具１を剥がしてそのまま廃棄すればよい。肛門付近に付着する便は僅かであり、拭き取りも極めて容易となる。
【実施例３】
【００２０】
図５は、本発明に係る排泄物処理装具１の他の実施例を示すもので、第１部材２の外周周辺を粘着剤層を設けない構造としたものである。外周周辺に粘着剤層が無ければ、図のように第２部材４が体から剥がれたとしても、第１部材２の周辺部分は第２部材４に追従しやすく、第１部材２と第２部材４との間の封止状態を確実にすることができる。粘着剤層の無い部分は、外周全域に設ける他、漏れが生じやすい後側（背中側）に設けるだけでもよい。無粘着部分は、粘着剤層を設けないようにする他、別体のシート状部材を貼り付けて形成することもできる。
【図面の簡単な説明】
【００２１】
【図１】本発明に係る排泄物処理装具の一実施例を示す部分拡大断面図である。（実施例１）
【図２】（ａ）は第１部材、（ｂ）は第２部材、（ｃ）は便収容袋の平面図である。
【図３】第１部材の他の実施例を示す平面図である。（実施例２）
【図４】図２に示す排泄物処理装具を要介護者の肛門付近に装着した状態を示す部分断面図である。
【図５】第１部材のさらに他の実施例を示す部分断面図である。（実施例３）
【符号の説明】
【００２２】
Ｐ  要介護者
１  排泄物処理装具
２  第１部材
２１  開口部
２２  切込部
３  便収容袋
４  第２部材
５  剥離紙
【図１】
2006314758.tif 000003
【図２】
2006314758.tif 000004
【図３】
2006314758.tif 000005
【図４】
2006314758.tif 000006
【図５】
2006314758.tif 000007